(57)【特許請求の範囲】
【請求項１】
前後方向にネスティング可能な椅子であって、
座部と、
前記座部の後部を回転可能に、かつ略水平に支持する支持部、及び前記支持部の下方において内側方向に屈曲する第１屈曲部を有し、前記第１屈曲部に連続してさらに前記座部の縁の下方において床面方向斜め前向き下方に屈曲する第２屈曲部を備え、前脚部が前記第２屈曲部に連続して取り付けられるクランク部を有する一対のフレームと、
前記フレームに前脚部の幅より広い間隔を開けて設置される一対の後脚部と、
前記フレームに支持される背もたれと、
を備える椅子。
【請求項２】
前記フレームは、
前記前脚部と、クランク部を間にはさみ、側面視において直線状に連続する請求項１に記載の椅子。
【請求項３】
前記クランク部は、
ネスティングの際に他の椅子の前記後脚部が当接する部分にバンパーを備える請求項１に記載の椅子。
【請求項４】
前記クランク部は、
前記第１屈曲部の前側に面する部分、及び前記第２屈曲部の外側に面する部分にバンパーを備える請求項１に記載の椅子。
【請求項５】
前記バンパーは、
ネスティングの際に他の椅子の前記後脚部を前記当接する部分に案内する案内部を備える請求項３に記載の椅子。
【請求項６】
前記案内部は、
前記第１屈曲部の前側の面と前記第２屈曲部の外側の面を結ぶ線の角度であって床面方向先端における前記第２屈曲部の外側に対する角度が、１５°以上６０°以下の角度の鋭角部を備える請求項５に記載の椅子。
【請求項７】
前記クランク部は、
前記後脚部を正面視した左右幅に前記案内部の正面視した左右幅を加えた長さ分を内側方向に屈曲する請求項５に記載の椅子。
【請求項８】
前記バンパーは、
前記フレームと前記前脚部との溶接痕を被覆する請求項３から請求項７までのいずれか１項に記載の椅子。
【発明の詳細な説明】
【技術分野】
【０００１】
本発明は、椅子に関するものである。
【背景技術】
【０００２】
座部を跳ね上げて起立させ、前後方向に重ねるネスティングが可能な椅子は、フレームと、フレームに支持される背もたれと、フレームを支持する前脚部及び後脚部と、フレームに回転可能に取り付けられる座部と、を有する。
【０００３】
ネスティングを行うためには前脚部の間隔と後脚部の間隔とを異ならせる必要がある。座った時の安定性を確保するには、後脚部の間隔を前脚部の間隔よりも広くすることが望ましい。また、製造コストの点から、各脚部の構造はできるだけ簡単な方が望ましい。
【０００４】
しかし、前脚部の間隔を後脚部の間隔より狭くすると、設置できる座部の横幅が狭くならざるを得ない。各脚部の構造を簡単にすると、座部は２本の前脚部の間に設置されることとなるため、座部の横幅は前脚部の間隔よりも狭いものとなる。
【０００５】
この点に関し、座部の取り付け部位の前脚部の間隔を後脚部の間隔程度にまで広くし、前脚部を斜行させて、ネスティングの際に他の椅子の後脚部に入り込む前脚部の部分を座部の取り付け部分よりも狭くする椅子が提案されている（例えば、特許文献１。特に図３。）。
【０００６】
しかし、前脚部が斜行していると、ネスティングの際に正しい位置にネスティングすることが難しい。一方の椅子の前脚部に他方の椅子の後ろ脚部を合わせる場合、椅子の真っ直ぐな位置が分かりづらく、無理にネスティングすると前脚部が弾性変形し、他方の椅子の後脚部とかみ合って抜けなくなってしまうことがある。
【先行技術文献】
【特許文献】
【０００７】
【特許文献１】特開２００５−２１８５３５号公報
【発明の概要】
【発明が解決しようとする課題】
【０００８】
本発明が解決しようとする課題は、座部の横幅を広く取りつつ、容易に正確なネスティングができる椅子を提供することである。
【課題を解決するための手段】
【０００９】
前記課題を解決するため、本発明に係る椅子は、前後方向にネスティング可能な椅子であって、座部と、前記座部の後部を回転可能に、かつ略水平に支持する支持部、及び前記支持部の下方において内側方向に屈曲し、さらに前記座部の縁の下方において床面方向に屈曲する第１屈曲部を有し、前記第１屈曲部に連続してさらに前記座部の縁の下方において床面方向斜め前向き下方に屈曲する第２屈曲部を備え、前脚部が前記第２屈曲部に連続して取り付けられるクランク部を有する一対のフレームと、前記フレームに前脚部の幅より広い間隔を開けて設置される一対の後脚部と、前記フレームに支持される背もたれと、を備える。
【発明の効果】
【００１０】
本発明によれば、座部の横幅を広く取りつつ、容易に正確なネスティングができる椅子を提供できるという効果がある。
【図面の簡単な説明】
【００１１】
【図１】椅子の正面斜視図。
【図２】椅子の背面斜視図。
【図３】椅子の底面図。
【図４】椅子の正面図。
【図５】椅子の背面図。
【図６】クランク部の拡大図。
【図７】クランク部部分の透視図。
【図８】椅子の座部を跳ね上げた状態を示す図。
【図９】椅子をネスティングした場合の側面図。
【発明を実施するための形態】
【００１２】
以下、本発明にかかる椅子１の一実施形態を、図面を参照しながら説明する。本実施形態においては、座部を跳ね上げて起立させ、前後方向に重ねて収納可能であるネスティングできる椅子を例に説明する。
【００１３】
図１は椅子１の正面斜視図、図２は椅子１の背面斜視図、図３は椅子１の底面図である。図１から図３に示すように、椅子１は、背もたれ２Ａと、背もたれ２Ａを両脇から支持するフレーム２と、フレーム２に取り付けられる一対の前脚部２Ｃ及び一対の後脚部と、座部３と、を備える。
【００１４】
背もたれ部２Ａは、樹脂によって成形され、大きさが一定の規則によって変化する貫通孔を有する。背もたれ部２Ａを支持するフレーム２は、前脚部２Ｃ及び後脚部２Ｂによって支持される。前脚部２Ｃの接地部位側の先端部には前方キャスタ４Ｃが、後脚部２Ｂの接地部位側の先端部には後方キャスタ４Ｂが、それぞれ取り付けられる。
【００１５】
座部３は、フレーム２によって回転可能に、かつ略水平に支持される。座部３は、着座位置と、背もたれ２Ａの方向に跳ね上げられたネスティング位置との間において回転する。また、フレーム２には支持部材５が架け渡される。座部３は支持部材５と当接する受け部２６を備える。座部３が回転して座位に位置する場合、受け部２６は支持部材５に当接して、座部３の着座位置より下方への回転が規制される。
【００１６】
フレーム２は座部３の幅方向外側にそれぞれ配置される。従って、フレーム２は座部３を幅方向両側から挟むように配置されることとなる。
【００１７】
図４は椅子１の正面図、図５は椅子１の背面図である。図４及び図５に示すように、フレーム２は、２本の前脚部２Ｃ及び２本の後脚部２Ｂによって支持される。後脚部２Ｂはフレーム２から椅子１の後方向かつ床面方向に斜めに、略一直線に延びる。後脚部２Ｂは、間隔がフレーム２から床面に向かって次第に広くなるようにフレーム２に取り付けられる。
【００１８】
前脚部２Ｃは、フレーム２から椅子１の前方向かつ床面方向に斜めに延び、床面の手前において床面に対して略垂直に曲がる。
【００１９】
フレーム２は、座部３の取り付け部分における間隔が後脚部２Ｂの間隔と略等しい。従って、座部３の幅をフレーム２と干渉しない広さまで、広く取ることが可能となる。
【００２０】
フレーム２は、床面に向かって座部３の取り付け部分を過ぎた部分において内側に略垂直に屈曲し、さらに座部３の縁の直下付近において、つまり後脚部２Ｂの外径分だけ横方向に直進した後に略垂直に屈曲し、床面方向に斜めに延びる。
【００２１】
従って、フレーム２は、座部３の縁の直下において後脚部２Ｂの外径分だけ内側に屈曲するクランク部３０を有することとなる。このクランク部３０の下端に前脚部２Ｃの上端部が取り付けられる。
【００２２】
前脚部２Ｃの前方キャスタ４Ｃの外側の両端の間隔Ｗ１は後方キャスタ４Ｂの内側の両端の間隔Ｗ２より狭くなるように、後脚部２Ｂの間隔は床面に近づくに従って次第に広くなる。
【００２３】
従って、前脚部２Ｃはネスティングした場合に他の椅子１の後脚部２Ｂと物理干渉を起こさない。加えて、クランク部３０があるために、ネスティングした場合に一方の椅子１の前脚部２Ｃと他方の椅子１の後脚部２Ｂとがかみ合って抜けなくなることがない。
【００２４】
図６は、クランク部３０の拡大図である。図６に示すように、クランク部３０は、座部３の後方を回転可能に、かつ略水平にフレーム２に支持する支持部２Ｄの下方において、内側方向に略垂直の角度を付けて曲がる第１屈曲部３０Ａと、第１屈曲部３０Ａに連続してさらに座部３の縁の直下付近において再び床面方向斜め前向き下方に略垂直の角度を付けて曲がる第２屈曲部３０Ｂと、を備える。ここでは、着座した場合の後方を、単に後方と、着座した場合の前方を、単に前方という。従って、クランク部３０より下方の一対の前脚部２Ｃは互いに平行になる。フレーム２は、前脚部２Ｃと、クランク部３０を間にはさみ、側面視において直線状に連続する。つまり、前脚部２Ｃは、クランク部３０の第２屈曲部が延びる方向に延在するように形成される。
【００２５】
クランク部３０はネスティングの際に他の椅子１の後脚部２Ｂが当接する部分にバンパー３１を備えることができる。クランク部３０は、前記第１屈曲部３０Ａの前側に面する部分、及び第２屈曲部３０Ｂの外側に面する部分にバンパー３１を備える。
【００２６】
バンパー３１は、柔軟性のある樹脂によって形成されることが、衝撃を吸収できる点、当接した場合に音が出にくい点において望ましい。バンパー３１はさらに、当接する他の椅子１の後脚部２Ｂを案内する案内部３２を有していてもよい。
【００２７】
バンパー３１が案内部３２を有する場合には、クランク部３０は後脚部２Ｂの外径に案内部３２の幅を加えた長さ分内側方向に屈曲する。
【００２８】
図７は、クランク部３０部分の透視図である。図７に示すように、案内部３２は床面方向先端に角度θの鋭角部を有する。角度θは好ましくは１５°以上６０°以下、より好ましくは３０°である。
【００２９】
フレーム２はクランク部３０の先端部分がパイプ形状をなす。前脚部２Ｃはパイプ形状をなし、内部にパイプ形状の芯材４２が挿通される。芯材４２はクランク部３０側の先端が前脚部２Ｃから突出し、この突出した部分はクランク部３０の先端に挿入される。
【００３０】
そして、符号４１によって示す接続部分において、フレーム２及び前脚部２Ｃのバンパー３１側の所定部分が切り欠かれ、フレーム２、芯材４２、及び前脚部２Ｃが溶接によって固定される。
【００３１】
一方、バンパー３１は、フレーム２のクランク部３０の先端に接触する面に先端が細い矢じり形状のカギ部３３と、前脚部２Ｃの上端部に接触する面に断面視がＬ字形状の係止部３４と、を有する。他方、クランク部３０の先端のカギ部３３に対応する部分と、前脚部２Ｃの係止部３４に対応する部分とには挿通孔が設けられる。
【００３２】
バンパー３１は、まず前脚部２Ｃの挿通孔に係止部３４が挿入され、ついでフレーム２の挿通孔にカギ部３３が弾性変形されて挿通されることにより、抜けないように固定される。加えて、バンパー３１により、上記の溶接によって生じた溶接痕を被覆して隠すことができる。
【００３３】
椅子１をネスティングする際には、他の椅子１の後脚部２Ｂが案内部３２にまず当接する。案内部３２は角度θがついているため、当接した他の椅子１の後脚部２Ｂはすべるように案内部３２の縁に沿って移動し、クランク部３０の横方向に延びる部分に当接する。従って、案内部３２によってスムーズにネスティングすることが可能となる。
【００３４】
加えて、バンパー３１によって、ネスティングの際に他の椅子１の後脚部２Ｂと、フレーム２とがぶつかることによって生じる異音を低減でき、当接による変形や塗装の摩耗などを回避できる。
【００３５】
図８は、椅子１の座部３を跳ね上げた状態を示す図である。図８に示すように、座部３は、座部３の後方において支持部２Ｄによってフレーム２に回転可能に、かつ略水平に支持されているため、背もたれ２Ａの方向に回転されることにより跳ね上げられる。
【００３６】
座部３が跳ね上げられると、座部３と他の椅子１の背もたれ２Ａとが物理干渉を起こさなくなるため、ネスティングが可能となる。
【００３７】
図９は、椅子１をネスティングした場合の側面図である。図９に示すように、図９に向かって右端の椅子１の前脚部２Ｃはその左側に隣接する椅子１の後脚部２Ｂの間に入り込む。この際、隣接する椅子１の後脚部２Ｂは、ネスティングの初期の段階において多少角度がずれていてもバンパー３１の案内部３２に案内され、適切な位置に密集してネスティングされる。
【００３８】
以上述べたように、本実施形態の椅子１は、背もたれ２Ａと、背もたれ２Ａの後部を回転可能に、かつ略水平に支持し、内側方向に略直角に屈曲するクランク部３０を有するフレーム２と、フレーム２に取り付けられる一対の前脚部２Ｃ及び前脚部２Ｃの幅より広い間隔を開けて設置される一対の後脚部と、フレーム２に回転可能に支持される座部３と、を備える。
【００３９】
従って、座部の横幅を広く取りつつ、椅子１の前脚部２Ｃと他の椅子１の後脚部２Ｂとがかみ合って抜けなくなることを防ぎつつ、容易に正確なネスティングができる椅子を提供することができるという効果がある。
【符号の説明】
【００４０】
１  椅子
２  フレーム
２Ａ  背もたれ部
２Ｂ  後脚部
２Ｃ  前脚部
２Ｄ  支持部
３  座部
４Ｂ  後方キャスタ
４Ｃ  前方キャスタ
５  支持部材
２６  受け部
３０  クランク部
３１  バンパー
３２  案内部
３３  カギ部
３４  係止部
４２  芯材
【図１】
0006649042.tif 000002
【図２】
0006649042.tif 000003
【図３】
0006649042.tif 000004
【図４】
0006649042.tif 000005
【図５】
0006649042.tif 000006
【図６】
0006649042.tif 000007
【図７】
0006649042.tif 000008
【図８】
0006649042.tif 000009
【図９】
0006649042.tif 000010